(57)【要約】【課題】  本発明は、ブラシピンが固定されていなくても、髪をしっかりと捉え、なめらかに梳かすことができ、ピンユニットが可動することにより、髪の引っ掛かりや頭皮への当たりを軽減し、それらに負担を掛けないヘアーブラシの提供を目的とする。【解決手段】  ブラシ本体と、該ブラシ本体に取り付けられるストッパーカバーと、ピンユニットを有するヘアーブラシであって、該ストッパーカバーは進退自在に挿通させる多数のピン穴を具備し、該ピン穴にブラシピンを挿通させて、前記ブラシ本体に設けられた支持板に、ピンユニットの基板が接地するようにストッパーカバーを取り付けることを特徴とするヘアーブラシ。【選択図】図１
2015130976.tif 000002
【特許請求の範囲】
【請求項１】
ブラシ本体と、該ブラシ本体に取り付けられるストッパーカバーと、ピンユニットを有するヘアーブラシであって、該ストッパーカバーは進退自在に挿通させる多数のピン穴を具備し、該ピン穴にブラシピンを挿通させて、前記ブラシ本体に設けられた支持板に、ピンユニットの基板が接地するようにストッパーカバーを取り付けることを特徴とするヘアーブラシ。
【請求項２】
ストッパーカバーと支持板の間に設置されている前記ピンユニットが可動することを特徴とする請求項１記載のヘアーブラシ。
【請求項３】
ピンユニットの可動に弾性力を持たせたことを特徴とする請求項１、２記載のヘアーブラシ。
【請求項４】
ブラシ本体に連結したストッパーカバーをブラシピンが離脱せずに摺動させることを特徴とする請求項１〜３のいずれか１項に記載のヘアーブラシ。
【請求項５】
ピンユニットが支持板に接地されたままの状態を保つこと特徴とする請求項１〜４のいずれか１項に記載のヘアーブラシ。
【請求項６】
ストッパーカバーをブラシ本体に固定する固定手段を具備したことを特徴とする請求項１〜５のいずれか１項に記載のヘアーブラシ。
【発明の詳細な説明】
【技術分野】
【０００１】
本発明は、ヘアーブラシに関する発明である。
【背景技術】
【０００２】
一般的に、ヘアーブラシには様々な種類があり、種類によって構造が異なるが、主にブラシ本体部とブラシ部で構成されている。そのブラシ部を構成しているブラシピンは、植毛方式、一体成形方式、或いは、ピン挿し込み方式など様々な方式で取り付けられ、髪を梳かす際に動かないようにある一定の方向に固定されている。
【０００３】
日本のみならず海外においても、ブラシピンが固定されていないヘアーブラシを見掛けることはなく、髪を梳かす上で、固定されているものが理に叶っているように思われる。例えば、特許文献１のブラシピンは、土台とゴムラバーで狭着させることでブラシピンを固定させている。また、特許文献２によれば、ブラシピンは回転自在に設けられた回転軸の為、ブラシカバーの上げ下げの際には動くので固定されていないが、髪を梳かす使用時は、ブラシピンがある一定の方向に固定される仕組みになっている。これらの文献から見て取れるように、ブラシピンを固定するのが一般的で、固定されていないヘアーブラシはブラシピンがぐらつき、髪をしっかりと捉えることができず、満足に梳かすことができないことは想像に難くない。しかしながら、果たしてそうなのであろうか。
【先行技術文献】
【特許文献】
【０００４】
【特許文献１】特開２０１３−２４０４３４
【特許文献２】特開２００７−２１１６７
【発明の概要】
【発明が解決しようとする課題】
【０００５】
本発明は、ブラシピンが固定されていなくても、髪をしっかりと捉え、なめらかに梳かすことができ、ピンユニットが可動することにより、髪の引っ掛かりや頭皮への当たりを軽減し、それらに負担を掛けないヘアーブラシの提供を目的とする。
【課題を解決するための手段】
【０００６】
本明細書によれば以下の発明が提供される。
（１）ブラシ本体と、該ブラシ本体に取り付けられるストッパーカバーと、ピンユニットを有するヘアーブラシであって、該ストッパーカバーは進退自在に挿通させる多数のピン穴を具備し、該ピン穴にブラシピンを挿通させて、前記ブラシ本体に設けられた支持板に、ピンユニットの基板が接地するようにストッパーカバーを取り付けることを特徴とするヘアーブラシ。
（２）ストッパーカバーと支持板の間に設置されている前記ピンユニットが可動することを特徴とする（１）記載のヘアーブラシ。
（３）ピンユニットの可動に弾性力を持たせたことを特徴とする（１）または（２）記載のヘアーブラシ。
【０００７】
（４）ブラシ本体に連結したストッパーカバーをブラシピンが離脱せずに摺動させることを特徴とする（１）〜（３）のいずれか１に記載のヘアーブラシ。
（５）ピンユニットが支持板に接地されたままの状態を保つこと特徴とする（１）〜（４）のいずれか１に記載のヘアーブラシ。
（６）ストッパーカバーをブラシ本体に固定する固定手段を具備したことを特徴とする（１）〜（５）のいずれか１に記載のヘアーブラシ。
【発明の効果】
【０００８】
本発明は、ブラシピンが固定されていなくても、髪をしっかりと捉え、なめらかに梳かすことができ、ピンユニットが可動することにより、髪の引っ掛かりや頭皮への当たりを軽減し、それらに負担を掛けないヘアーブラシである。
【発明を実施するための形態】
【０００９】
上記の課題を解決する為に、本発明のヘアーブラシはブラシ本体１、ピンユニット２、ストッパーカバー３で構成されている。ブラシ本体１は、図２が示すようにストッパーカバー３を取り付ける為の係合溝１ｃが長手方向に設けられており、支持板１ａはピンユニット２を支える為のもので、また、キャップ１ｄには突起１ｅが設けられており、ブラシ本体１から脱着できるように該ブラシ本体１には嵌合穴１ｂが備えられている。キャップ１ｄをブラシ本体１から取り外すことにより、組み立てられたヘアーブラシの分解ができ、破損や劣化したピンユニット２やストッパーカバー３を取り替えることができる。キャップ１ｄは取り付けられたストッパーカバー３が外れないようにという意味合いもあるが、しっかり固定されているのでその役割は殆どなく、見栄えの問題で取り付けられることが主である。然るに、その点を重視しないようであれば、キャップ１ｄは必要と言う訳ではない。
【００１０】
ピンユニット２は、図３が示すようにブラシピン２ａを垂直起立した状態で植設する長細い矩形のピン基板２ｂで一体成形されている。ピン基板２ｂは矩形柱状であるが、円柱状、或いは、楕円柱状でもよく、ブラシピン２ａは円錐状、円柱状等を採用することができる。ブラシピン２ａを形成する材料は、特に限定されないが、例えば、ナイロン、プラスチックなどの合成樹脂、金属、木材等であって屈曲しにくい材料で形成することが好ましい。また、図４にあるような、豚毛などの動物の毛の素材の場合は、植毛方式などで基板２ｂに植設すればよい。
【００１１】
ストッパーカバー３（図５参照）は、湾曲させることができる素材で成形し、通常は平面状の形状をしているが、力を加えることで湾曲状に変形させることができる。其々のピン穴３ａはブラシピン２ａのピッチに対応して形成され、該ピン穴３ａの幅はブラシピン２ａの径より同等かそれ以上で、形状は矩形に限らず円形などその他の形状などでもよく、その幅によりピンユニット２の可動域が決まる。つまり、幅を広めれば該ピンユニット２の可動域が大きくなり、狭めれば可動域が小さくなる。同様に、ストッパーカバー３の厚みによっても調節が可能である。
【００１２】
可動な範囲は、角度として、標準の位置を０度とすると、左右にー９０度〜＋９０度、―８０度〜＋８０度、―７０度〜＋７０度、―６０度〜＋６０度、―５０度〜＋５０度、―４０度〜＋４０度、―３０度〜＋３０度、―２５度〜＋２５度、―２０度〜＋２０度、―１５度〜＋１５度、―１０度〜＋１０度、―８度〜＋８度、―５度〜＋５度が好ましく用いられる。典型的には、―３０度〜＋３０度が最も好ましい。
【００１３】
また、個々のブラシピン２ａに対して其々のピン穴３ａを設けずに、例えば、ピンユニット２のすべてのブラシピン２ａを纏めて通せる矩形の一つの穴でもよい。つまり、ストッパーカバー３のピン穴３ａはピンユニット２が可動できる仕組みの穴を備えていればよい。ここでは変形可能なストッパーカバー３を取り上げたが、変形不可能な図６に示しているような、凸状のストッパーカバーでもよく、使用に耐えうる強度や厚みを持たせることが必要である。
【００１４】
ピンの可動方向は、典型的には、ブラシの長手方向に対して直角となる方向であるが、これに限られず、長手方向から長手方向に直角の方向の間の任意の角度で可動するように調整してもよい。
【００１５】
以上が、本発明の実施形態に係わるヘアーブラシ（図１参照）を構成しているパーツである。
【００１６】
次に、組み立てについての説明であるが、まず初めに図７にあるように、ストッパーカバー３のピン穴３ａにブラシピン２ａを通し、図８のようにストッパーカバー３を湾曲させ、ストッパーカバー３の両角を同時に係合溝１ｃに嵌め込み、その湾曲させた状態を保ったまま把手方向にスライドさせ係合溝１ｃの奥まで押し込み、キャップ１ｄをブラシ本体１に取り付けることで組み立てが完結する。図８が示す状態で、ブラシピン２ａの径とピン穴３ａの幅が同等であれば、自然にピンユニット２が抜け落ちることはないが、ピン穴３ａがブラシピン２ａの径より大きい場合は、この状態では支えがなければ抜け落ちるので、組み立ての際はそれぞれを上下逆さまにして行うとよい。また、分解は逆の手順で容易に行うことができ、ブラシピンに絡み付いた髪を取り除く作業など簡易に行える。以上のように、本発明のヘアーブラシは組み立て工程が非常に簡潔である。
【００１７】
組み立てられたヘアーブラシ（図９参照）は、ピンユニット２が支持板１ａの上に当接した状態で置かれ、また、ストッパーカバー３にも当接してそれらに挟み込まれる状態で設置されている。このように、挟み込まれたピンユニット２は支持板１ａの湾曲した凸形状にすることで、扇状にブラシピン２ａが開かれたヘアーブラシとなる。其々のピンユニット２は支持板１ａとストッパーカバー３に挟まれた状態であるが、固定されていないので左右に自由自在に動く。また、図９ではピンユニット２がストッパーカバー３と支持板１ａに隙間なく当接しているが、必ずしもその必要はなく、ストッパーカバー３と支持板１ａの隙間をピンユニット２が髪を梳かすのに支障がない範囲で動くことのできる隙間がある構造でもよい。その際のピンユニット２が動く範囲は０ｍｍ〜７ｍｍが好ましい。より好ましくは０ｍｍより大きく、６ｍｍ以下、さらに好ましくは、０ｍｍより大きく５ｍｍ以下、特に好ましくは、０ｍｍより大きく４ｍｍ以下、最も好ましくは０ｍｍより大きく３ｍｍ以下である。
【００１８】
図２では、支持板１ａを３箇所設けているが、設置箇所、設置個数、形状に拘りはなくブラシピン２ａが扇状に開くことのできる支持板１ａであればよい。例えば、図１３のように図５のストッパーカバー３を使用して支持板１ａにすることもできる。このように、ストッパーカバー３を支持板１ａに代用することで、該ストッパーカバー３の素材の弾性力を活かし、クッションブラシのようにブラシピンの頭皮への当たりを和らげるヘアーブラシを提供することができる。図１３では、支持板１ａを固定させる為に支持板係合溝１ｆを設けたが、図１４のように係合溝１ｃの内壁を利用して湾曲させた状態で支持板１ａとしてのストッパーカバー３を設置し、その上に、ピンユニット２を通したストッパーカバー３のブラシ部を嵌め込むことで固定し、支持板係合溝１ｆを設けないブラシ本体１の形態でもよい。それによりブラシ本体１の構造が簡素化され、合わせてキャップ１ｄを不要とするならば、ブラシ本体１の嵌合穴１ｂを設ける必要がないので、より一層、簡素化され金型が安価に作れ、更に、キャップの金型が不要なので、低コストでヘアーブラシを製造することができる。
【００１９】
また、別の形態として図１５に示すように係合溝１ｃの幅を広げることにより、支持板１ａとして使用しているストッパーカバー３とピンユニット２を設置したストッパーカバー３を嵌め込んでもよい。ここでは扇状にブラシピンが開くタイプのヘアーブラシを取り上げたが、平型のヘアーブラシのように其々のブラシピンが平行して植設されている構造の場合は、支持板１ａを凸状ではなく平面状にしてやればよい。つまり、支持板１ａの形状により異なるタイプのヘアーブラシができる。
【００２０】
図１０は、組み立てられた図９のヘアーブラシにキャップ１ｄを取り付けた右側面図で、ブラシピン２ａが扇状に開かれた状態を示すものである。ピンユニット２は固定されていないので、図１１のように右に可動したり、図１２が示すように左に可動したりするように、髪の毛を梳かせている最中、自由自在にそれ自体が可動する仕組みになっている。その可動域は、ブラシピン２ａの径、ピン穴３ａの幅、ストッパーカバー３の厚さによって調節が可能である。
【００２１】
また、可動するピンユニット２に、ブラシピン２ａが垂直起立状態で植設されているピン基板２ｂの反対側の面にゴム素材などを使用することにより、ピンユニット２の可動に弾性力を持たせることができる。つまり、組み立てられた状態を示す図１０の扇状に開かれた個々のピンユニット２の位置を基点として、ピンユニットに力が加われば可動するが、その力が除かれると元の位置に戻る。同様の作用を得る為に、ピン基板２ｂが設置され当接する支持板１ａの面にゴム素材など使用しても同じ効果が得られる。勿論、どちらか一方だけに使用しても構わないし、両方に使用しても問題ない。
【００２２】
上記で説明してきたヘアーブラシにおいて、分解することによりヘアーブラシに絡み付いた髪を取り除くことができるが、より簡易に取り除けるようにストッパーカバー３を持ち上げて取り除く形態のヘアーブラシが図１６である。その構造は、図１７が示すようにブラシ本体１に摺動穴１ｇとピンユニット止め穴１ｉが設けられており、摺動穴１ｇはブラシ本体１とストッパーカバー３を連結させる為のもので、該ストッパーカバー３がピン穴３ａに通されたブラシピン２ａが離脱しない範囲で摺動する仕組みである。前記のストッパーカバー３は図６で示した変形不可能なものを使用し、それにストッパーカバー突起３ｂを設けて一体成形されたもの（図１８参照）であり、該ストッパーカバー突起３ｂを摺動穴１ｇに挿入することで連結させる。この摺動部にスナップフィット構造を用いることでブラシ本体１から容易に抜けなくすることができ、また、ストッパーカバー３を持ち上げて髪を取り除く際に、ブラシピン２ａがピン穴３ａから抜け落ちる心配の必要はない。ストッパーカバーの上げ下げは手動で行っているが、摺動部にバネなどを用いて、レバーやボタンなどで上げ下げする仕組みでも構わない。
【００２３】
ヘアーブラシを使用する為には、ヘアーブラシを図１６に示す状態にストッパーカバー３をブラシ本体１に固定する必要があるが、その固定手段は様々な方法があり、製造の観点や組立性の観点から選ぶのが妥当である。
【００２４】
ピンユニット止め穴１ｉは該ピンユニット止め穴１ｉにピンユニット止め１ｈ（図１９参照）を差し込み支持板２ａに設置したピンユニット２が、ストッパーカバー３を持ち上げる際に該ストッパーカバー３にブラシピン２ａが引っ掛かり、前記ピンユニット２が支持板２ａより離れて浮き上がらないようにする為のものである。従って、ストッパーカバー３を持ち上げる際に、ピンユニット止め１ｈはピンユニット止め穴１ｉに差し込まれた状態で固定されている。図２０で示すように、形状はストッパーカバー３の内側の形状に沿って、ピンユニット２とストッパーカバー３に挟まれた状態で設置する（図２１参照）。前記のようにセットされたブラシ部を、ブラシ本体にある摺動穴１ｇに、それぞれのストッパーカバー突起３ｂを同時に嵌め込み、その後、ピンユニット止め穴１ｉにピンユニット止め１ｈを差し込み、最後にストッパーカバー３をブラシ本体１に固定することで組み立てられる。特許文献２のヘアーブラシはピンユニットが回転軸に差し込まれているので、カバーを持ち上げる際にピンユニットが持ち上がらない構造であるが、組み立て性をあまり考慮に入れておらず、それにかなりの時間を要する欠点があったが、本発明はその点を考慮入れ、簡易に組み立てられるように工夫されている。
【００２５】
髪を取り除く仕組みは、ヘアーブラシに髪が絡まった状態を示す図２２から、ストッパーカバー３を持ち上げることにより髪を浮き上がらせ（図２３参照）、図２４で示すように、ブラシピン２ａの先端近くまで引き上げることにより、絡み付いた髪が取り除かれる。これは、固定されていないピンユニット２が可動する為に、ストッパーカバー３と連動して動くことによりストッパーカバー３の持ち上げを可能にしている。このように扇状に開いたタイプのヘアーブラシでは、ストッパーカバー３を持ち上げようとしても、固定されているブラシピン２ａが障害となり持ち上げることができない。
【００２６】
以上が本発明の実施形態の説明であるが、扇状に開いたタイプのヘアーブラシだけでなく、ロールブラシやヘアードライヤーと一体化して使用されるブラシなどにも応用が利きく発明である。
【図面の簡単な説明】
【００２７】
【図１】本発明の実施形態によるヘアーブラシの側面図、右側面図である。
【図２】本発明の実施形態によるヘアーブラシのキャップを外した状態のブラシ本体の平面図、側面図、右側面図である。
【図３】本発明の実施形態によるヘアーブラシのピンユニットの斜視図、側面図、右側面図である。
【図４】本発明の実施形態によるヘアーブラシの別の形態のピンユニットの斜視図、側面図、右側面図である。
【図５】本発明の実施形態によるヘアーブラシのストッパーカバーの平面図、側面図、右側面図である。
【図６】本発明の実施形態によるヘアーブラシの変形不可能な素材で作られたストッパーカバーの平面図、側面図、右側面図である。
【図７】本発明の実施形態によるヘアーブラシのピンユニットをストッパーカバーのピン穴に通す側面図、右側面図である。
【図８】本発明の実施形態によるヘアーブラシのピンユニットをストッパーカバーのピン穴に通し、ストッパーカバーを湾曲させた状態の側面図、右側面図である。
【図９】本発明の実施形態によるヘアーブラシのブラシ本体（キャップが外された状態）に、ピンユニットが通されたストッパーカバーを取り付けた側面図、右側面図である。
【図１０】本発明の実施形態によるヘアーブラシの右側面図である。
【図１１】本発明の実施形態によるヘアーブラシのピンユニットが右に可動した状態を表す右側面図である。
【図１２】本発明の実施形態によるヘアーブラシのピンユニットが左に可動した状態を表す右側面図である。
【図１３】本発明の実施形態によるヘアーブラシの支持板をストッパーカバーで代用した平面図、側面図、右側面図である。
【図１４】本発明の実施形態によるヘアーブラシの支持板を係合溝の内壁を利用して設置した側面図、右側面図である。
【図１５】本発明の実施形態によるヘアーブラシの支持板を係合溝にストッパーカバーと伴に設置した側面図、右側面図である。
【図１６】本発明の実施形態によるヘアーブラシで絡み付いた髪を取り除ける機構を具備したヘアーブラシの側面図、右側面図である。
【図１７】本発明の実施形態によるヘアーブラシのブラシ本体の平面図、側面図、右側面図である。
【図１８】本発明の実施形態によるヘアーブラシのストッパーカバーにストッパーカバー突起を具備した側面図、右側面図である。
【図１９】本発明の実施形態によるヘアーブラシのピンユニット止めの平面図、側面図、右側面図である。
【図２０】本発明の実施形態によるヘアーブラシのピンユニット止めをストッパーカバーの内側の形状に沿う状態で設置した側面図、右側面図である。
【図２１】本発明の実施形態によるヘアーブラシの組み立てられたブラシ部をブラシ本体に装着する様子を示した側面図、右側面図である。
【図２２】本発明の実施形態によるヘアーブラシに髪が絡まった状態を示す右側面図である。
【図２３】本発明の実施形態によるヘアーブラシのストッパーカバーを持ち上げた状態を示す右側面図である。
【図２４】本発明の実施形態によるヘアーブラシのストッパーカバーをブラシピンの先端付近まで持ち上げたて髪の毛が取り除かれた状態を示す右側面である。
【符号の説明】
【００２８】
１    ブラシ本体
１ａ  支持板
１ｂ  嵌合穴
１ｃ  係合溝
１ｄ  キャップ
１ｅ  突起
１ｆ  支持板係合溝
１ｇ  摺動穴
１ｈ  ピンユニット止め
１ｉ  ピンユニット止め穴
２    ピンユニット
２ａ  ブラシピン
２ｂ  ピン基板
３    ストッパーカバー
３ａ  ピン穴
３ｂ  ストッパーカバー突起
【図１】
2015130976.tif 000003
【図２】
2015130976.tif 000004
【図３】
2015130976.tif 000005
【図４】
2015130976.tif 000006
【図５】
2015130976.tif 000007
【図６】
2015130976.tif 000008
【図７】
2015130976.tif 000009
【図８】
2015130976.tif 000010
【図９】
2015130976.tif 000011
【図１０】
2015130976.tif 000012
【図１１】
2015130976.tif 000013
【図１２】
2015130976.tif 000014
【図１３】
2015130976.tif 000015
【図１４】
2015130976.tif 000016
【図１５】
2015130976.tif 000017
【図１６】
2015130976.tif 000018
【図１７】
2015130976.tif 000019
【図１８】
2015130976.tif 000020
【図１９】
2015130976.tif 000021
【図２０】
2015130976.tif 000022
【図２１】
2015130976.tif 000023
【図２２】
2015130976.tif 000024
【図２３】
2015130976.tif 000025
【図２４】
2015130976.tif 000026